【事件の表示】
　特願２０１０−１８１４５１「撮像装置、自動合焦方法、およびその方法をコンピュータが実行するためのプログラム」拒絶査定不服審判事件〔平成２３年　１月２０日出願公開，特開２０１１−　１３６８３〕について，次のとおり審決する。
【結　論】
　本件審判の請求は，成り立たない。
【理　由】
１　手続の経緯
　本願は，平成１３年９月２８日に出願した特願２００１−３０４３４２号（以下，「原出願」という。）の一部を平成２２年８月１３日に新たな特許出願としたものであって，平成２２年９月６日に手続補正書が提出され，平成２５年２月１４日付けで拒絶理由が通知され，同年４月１５日に意見書及び手続補正書が提出され，同年１２月２４日付けで拒絶理由が通知され，平成２６年２月２４日に意見書及び手続補正書が提出されたが，同年７月３日付けで拒絶査定がなされたところ，平成２６年９月２６日に拒絶査定不服審判が請求されると同時に手続補正書が提出されたものである。
　
２　平成２６年９月２６日提出の手続補正書による補正の適否
　平成２６年９月２６日提出の手続補正書による補正（以下，「本件補正」という。）は，平成２６年２月２４日提出の手続補正書による補正後の特許請求の範囲及び明細書についてするもので，本件補正のうち請求項１に係る補正（以下，「請求項１に係る本件補正」という。）は，本件補正前の請求項１に記載された「前記風景撮影モードが
設定
選択
　当該請求項１に係る本件補正は，平成１４年法律２４号改正附則２条１項によりなお従前の例によるとされる同法による改正前の特許法（以下，「改正前特許法」という。）１７条の２第４項３号に掲げる誤記の訂正を目的とするものである。
　また，本件補正の前後で，請求項１に係る発明の発明特定事項に実質的な違いはないから，請求項１に係る本件補正は新規事項を追加するものではなく，改正前特許法１７条の２第３項の規定に適合する。
　したがって，請求項１に係る本件補正は，適法になされたものである。
３　本願の請求項１に係る発明
　前記２で述べたとおり，請求項１に係る本件補正は適法になされたものであるから，本願の請求項１に係る発明は，本件補正後の請求項１に記載された事項により特定されるものであるところ，次のとおりのものと認められる。
　
「自動合焦機能を備えた撮像装置において，
　被写体に応じた画像データを入力するための撮像手段と，
　前記撮像手段から入力される画像データの中から人物の顔を検出するための顔検出手段と，
　前記顔検出手段で検出された人物の顔を測距エリアとして，自動合焦制御を行う自動合焦制御手段と，
　撮影モードとして，人物を撮影するための人物撮影モードと風景を撮影するための風景撮影モードとを切り替えて設定するモード設定手段と，を備え，
　前記モード設定手段により撮影モードとして前記人物撮影モードが選択されている場合には，前記顔検出手段は顔検出動作を実行し，前記自動合焦制御手段は，検出された人物の顔を測距エリアとして，自動合焦制御を行い，
　前記モード設定手段により撮影モードとして前記風景撮影モードが選択されている場合には，前記顔検出手段は顔検出動作を実行せず，前記自動合焦制御手段は，所定の測距エリアに基づき自動合焦制御を行うことを特徴とする撮像装置。」（以下，「本願発明」という。）
　
４　原査定の拒絶の理由の概要
　本願発明に対応する本件補正前の請求項１に係る発明に対する原査定の拒絶の理由の概要は，請求項１に係る発明は，引用文献１及び２に記載された発明に基づいて，当業者が容易に発明をすることができたものであるから，特許法２９条２項の規定により特許を受けることができない，というものである。
　原査定の拒絶の理由で引用した引用文献１及び２は，次のとおりである。
引用文献１：特開２００１−２１５４０４号公報
引用文献２：特開２０００−２９８２３２号公報
５　引用例
（１）引用文献１
　ア　引用文献１の記載事項
　原査定の拒絶の理由で引用された引用文献１は，特許法４４条２項の規定により本願が出願されたとみなされる原出願の出願の時より前（以下，単に「本願の出願前」という。）に頒布された刊行物であって，当該引用文献１には次の記載がある。（下線は，後述する引用発明の認定に特に関係する箇所を示す。）
（ア）　「【０００１】
【発明の属する技術分野】この発明は主要被写体を検出する機能を有するカメラに関するものである。」
（イ）　「【０００２】
【従来の技術】近年，複数の測距点を有するカメラに関する技術は，数多く提案されている。これらの技術に於いて，中央部とその左右の３点や３点に中央上下２点を加えた５点の多点測距するカメラが多いが，最近ではそれ以上の測距点を有するカメラが製品化されており，測距点は増加する傾向にある。将来は殆ど全画面に測距点を配置する可能性もある。
【０００３】このように測距点が多くなると，どの被写体が主要被写体であるかの判別が困難になり，撮影者が意図しない被写体が主要被写体と判定されて，意図しない被写体にピントや露光が合うということが多くなる。
【０００４】この課題を解決するために，撮影者の視線を検出して，撮影者が注視している被写体を主要被写体とする従来から良く知られた技術もある。しかしながら，視線検出機構が複雑であるために，ごく一部のカメラでしか採用されていない。したがって，視線検出技術以外で主要被写体を検出する技術をカメラに応用することが，多点測距カメラの課題の一つである。
【０００５】ところで，撮影画面内に人物が入っている場合には，その人物が主要被写体である場合が多い。
【０００６】また，画像処理技術によって，画面内に人物が入っていることを検出する技術が公知であり，後述するようないくつかの検出方法がある。
【０００７】これらの人物検出技術をカメラに適用した従来の技術には，以下のような技術が知られており，検出した主要被写体にピントを合わせるだけでなく，適切な露出処理を施す技術である。
【０００８】すなわち，特開平６−３０３４９１号公報に開示されている技術は，画面内に人物を検出すると人物の顔全体が被写界深度内に入るように露出を制御するものである。
・・・（中略）・・・
【００１０】
【発明が解決しようとする課題】しかるに，上述した従来の技術は，以下のような課題を有している。
【００１１】上記特開平６−３０３４９１号公報に開示の技術では，人物の数はカウントしていないので，人物の数によっては適切な露出処理がされ難い。
【００１２】つまり，人物が一人或いは二人の場合で，且つ画面全体に占める人物の面積が多い場合には，いわゆるポートレート写真であり，人物にピントが合って背景はぼけるように露出制御する（つまり絞りを開ける）のが適切である。しかしながら，人物が数人以上の場合，或いは人物が一人または二人の場合でも，画面全体に占める人物の面積が少ない場合には，いわゆる記念写真となり，観光地で建物をバックに記念写真を撮るパターンと判定して，人物にも背景にもピントが合うように露出制御する（つまり絞りを絞る）のが適切である。
・・・（中略）・・・
【００１９】したがってこの発明は上記課題に鑑みてなされたものであり，被写体に人物が含まれているか否かを判定し，更に撮影される写真がポートレート写真的な構図か記念写真的な構図かを判定し，それぞれのシーンで適切な撮影効果が得られる主要被写体検出機能を有するカメラを提供することを目的とする。」
　
（ウ）　「【００２７】
【発明の実施の形態】以下，図面を参照してこの発明の実施の形態を説明する。
・・・（中略）・・・
【００３３】図２は，この発明の
第１の実施形態であるカメラの構成
【００３４】図２に示されるように，第１の実施の形態のカメラは，当該
カメラ全体に於ける各回路の制御を司るマイクロコンピュータ
１１
被写体像を撮像して電気信号であるセンサデータに変換するＡＦエリアセンサ１２
【００３５】更に，マイクロコンピュータ１１には，測光部２０と，ストロボ回路部２１と，表示部２２と，カメラ姿勢検出部２３と，撮影モード設定部２４と，図示されないレリーズ釦に連動したスイッチであるファーストレリーズスイッチ（１ＲＳＷ）２５及びセカンドレリーズスイッチ（２ＲＳＷ）２６とが接続されている。
【００３６】このように，第１の実施の形態に於けるカメラは，マイクロコンピュータ１１，ＡＦエリアセンサ１２，フォーカスレンズ駆動部１５，フォーカスレンズエンコーダ１６，ズームレンズ駆動部１７，シャッタ駆動部１８，フィルム駆動部１９，測光部２０，ストロボ回路部２１，表示部２２，カメラ姿勢検出部２３，撮影モード設定部２４，ファーストレリーズスイッチ２５及びセカンドレリーズスイッチ２６とにより，主要部が構成される。
【００３７】上記マイクロコンピュータ１１は，その内部に，ＣＰＵ（中央処理装置）１１ａと，ＲＯＭ１１ｂと，ＲＡＭ１１ｃと，Ａ／Ｄコンバータ（ＡＤＣ）１１ｄと，ＥＥＰＲＯＭ１１ｅとを有して構成される。このうち，ＣＰＵ１１ａは，ＲＯＭ１１ｂに格納されたシーケンスプログラムに従って，一連の動作を行うものである。
【００３８】また，上記ＥＥＰＲＯＭ１１ｅは，オートフォーカス（ＡＦ），測光・露出演算等に関する補正データをカメラ毎に記憶している。また，ＥＥＰＲＯＭ１１ｅには，後述する撮影画面内の主要被写体を検出するための各種パラメータ等が格納されている。
【００３９】
ＡＦエリアセンサ１２は，撮像領域１２ａである水平方向と垂直方向に二次元状に配置された受光素子群
を備え
【００４０】また，ＡＦエリアセンサ１２は，定常光除去回路１２ｃを有している。この定常光除去回路１２ｃは，マイクロコンピュータ１１の制御下に定常光を除去するか否かを切換える機能を有している。
【００４１】上記フォーカスレンズ駆動部１５は，
撮影レンズ１３の一部であるフォーカスレンズ１４
・・・（中略）・・・
【００４４】上記
測光部２０は
測光出力を発生する
マイクロコンピュータ１１では，この発生した測光出力を，上記Ａ／Ｄコンバータ１１ｄによりＡ／Ｄ変換して測光・露出演算を行う
・・・（中略）・・・
【００４８】ファーストレリーズスイッチ２５及びセカンドレリーズスイッチ２６は，上述したように，レリーズ釦に連動したスイッチである。
レリーズ釦の第１段階の押下げによりファーストレリーズスイッチ２５がオンされ
第２段階の押下げでセカンドレリーズスイッチ２６がオンされる
ファーストレリーズスイッチ２５のオンでＡＦ，測光動作を行い，セカンドレリーズスイッチ２６のオンにより露出動作，フィルム巻上げ動作を行う
【００４９】次に，このように構成された，第１の実施の形態のカメラの動作について説明する。
【００５０】図３は，第１の実施の形態に於けるカメラに於けるマイクロコンピュータ１１のメインルーチンを示すフローチャートである。
【００５１】先ず，図示されない電源スイッチがオンされるか，或いは電池がカメラ本体に挿入されると，マイクロコンピュータ１１の動作が開始され，ＲＯＭ１１ｂに格納されたシーケンスプログラムが実行される。そして，ステップＳ１にて，マイクロコンピュータ１１でカメラ内の各ブロックの初期化，ＥＥＰＲＯＭ１１ｅ内のＡＦ，測光等の調整・補正データが，ＲＡＭ１１ｃに展開される。
【００５２】次いで，ステップＳ２に於いて，マイクロコンピュータ１１によってファーストレリーズスイッチ２５の状態が検出される。ここで，
ファーストレリーズスイッチ２５がオンされると，
マイクロコンピュータ１１によりＡＦ動作が行われ
【００５３】そして，ステップＳ４にて
測光・露出演算処理が行われ
演算された露光値が補正されて被写界深度が浅くされるか深くされるかの処理が行われ
【００５４】次に，ステップＳ６に於いて，セカンドレリーズスイッチ２６の状態が検出される。ここで，セカンドレリーズスイッチ２６がオンされると，ステップＳ７に移行して，マイクロコンピュータ１１からはシャッタ動作が行われるよう指示されてフィルムに露出が行われる。次いで，ステップＳ８にて，フィルムが１駒巻上げられる。その後，上記ステップＳ２に移行する。
【００５５】一方，上記ステップＳ２に於いて，ファーストレリーズスイッチ２５がオンされていない場合は，ステップＳ９に移行して，マイクロコンピュータ１１により，ファーストレリーズスイッチ２５及びセカンドレリーズスイッチ２６以外のスイッチの入力状態が検出される。
【００５６】ここで，他のスイッチ入力が検出されると，ステップＳ１０に移行して，当該スイッチ入力に応じた処理，例えばズームスイッチのズームアップ，ダウンの入力に対しては，ズームアップ，ダウン処理が行われるように各回路に指示がなされる。
【００５７】尚，上記ステップＳ６でセカンドレリーズスイッチ２６がオンされない場合，及びステップＳ９で他のスイッチ入力が検出されない場合は，上記ステップＳ２に移行する。
・・・（中略）・・・
【００７３】次に，図８のフローチャートを参照して，第１の実施の形態に於けるカメラの
ＡＦ動作
【００７４】先ず，ステップＳ２１にて，マイクロコンピュータ１１によりＡＦエリアセンサ１２に積分制御信号が出力されて，積分動作が行われるよう指示される。そして，ＡＦエリアセンサ１２から所定範囲内のピーク（最も明るい画素）出力に対応するモニタ信号が出力される。マイクロコンピュータ１１では，このモニタ信号が参照されながら，ＡＦエリアセンサ１２の受光部の受光量が適正となるように積分時間が調節される。
【００７５】この後，ステップＳ２２にて，
マイクロコンピュータ１１によってＡＦエリアセンサ１２に読出しクロックＣＬＫが出力
センサデータ（画素データ）
Ａ／Ｄ変換され
【００７６】更に，ステップＳ２３では，
マイクロコンピュータ１１により，主要被写体が抽出される処理が実行され
抽出された主要被写体の領域内に複数の測距エリアが設定
複数の測距エリアについて測距演算が行われ
【００７７】ステップＳ２６では，上記
測距演算の結果，得られた測距データが所定の条件（信頼性の有無等）を満足するか否かが判定され
所定の条件を満たす複数の測距データについて平均処理が行われ，その結果得られた測距データが採用され
【００７８】そして，ステップＳ２８にて，上記
採用された測距データに基いてフォーカスレンズ１４が駆動され
【００７９】一方，上記ステップＳ２６に於いて，測距結果が所定の条件を満足しない場合は，ステップＳ２９に移行して，マイクロコンピュータ１１により，上記主要被写体領域内のセンサデータが適正となるように制御されて再度積分が行われる。すなわち，ＡＦエリアセンサ１２内のモニタ選択回路３６が制御されて，主要被写体領域内に対応する画素のみについてモニタ信号が取得され，例えばそれらの最大値がモニタ出力としてマイクロコンピュータ１１に出力されるように設定される。
【００８０】この後，再び上記ステップＳ２１に移行して，再度積分，読出し，測距処理がやり直される。この場合は，主要被写体の領域内のセンサデータにつき測距演算が行われるために適正となるよう積分制御が行われるので，主要被写体について良好な測距データが得られる。
【００８１】次に，図９のフローチャートを参照して，このカメラに於ける
主要被写体検出動作
【００８２】この
主要被写体検出ルーチンでは，特に主要被写体として人物を想定して，人物を検出する
【００８３】また，ＡＦエリアセンサ１２のセンサデータは，マイクロコンピュータ１１内のＲＡＭ１１ｃに格納されており，このセンサデータに基いて以下の処理が行われる。
【００８４】初めに，主要被写体検出処理の概要について説明する。
【００８５】先ず，ステップＳ３１にて，
マイクロコンピュータ１１により平滑化処理が行われ
【００８６】次に，ステップＳ３２にて，
マイクロコンピュータ１１により差分処理が行われ
【００８７】この後，ステップＳ３３にて，
マイクロコンピュータ１１により２値化処理が実行され
【００８８】ステップＳ３４では，
マイクロコンピュータ１１によって，連結・図形融合処理が行われ
細線化処理が行われ
【００８９】この後，ステップＳ３６にて，
マイクロコンピュータ１１により画像の形状が判定されて，主要被写体を抽出する形状判定処理が行われ
【００９０】次に，上述したステップＳ３１〜Ｓ３６の各処理について，更に詳しく説明する。
・・・（中略）・・・
【０１２４】次に，上記ステップＳ３６の
形状判定処理及び写真判定処理
【０１２５】ここで，
連結領域
【０１２６】画像の形状を判定するために，円形度と称される以下の係数ｅが使用される。
【０１２７】
　　　　
ｅ＝（周囲長）
２
／（面積）
ここで，ｅは，形状が円形の場合に最小値を示し，形状が複雑になるほど大きい値を示す。
【０１２８】人物の顔はほぼ円形に近いと考えられるので，
上記係数ｅと所定値とを比較して対称画像
が人物の顔か否かが判定
【０１２９】また，上記
連結領域面積も所定値と比較して，対称画像人物の顔か否かが判定
【０１３０】このようにして，演算量が減少されてＡＦタイムラグを縮小させることができる。また，人物であると判定された場合には，その写真が人物を主にしたポートレート的写真であるか否かが判定される。
【０１３１】図１７は，図９のフローチャートに於けるステップＳ３６の形状判定処理及び写真判定処理のサブルーチンである。
【０１３２】この第１の実施の形態では，図３３で説明したｉ）の条件に従って判定が行われる。
【０１３３】すなわち，まず，ステップＳ６１にて，抽出領域があるか否かが判定される。ここで，抽出領域がない場合にはリターンする。
【０１３４】次いで，ステップＳ６２にて，以降のステップで人物の数をカウントするカウンタが“０”にクリアされる。そして，ステップＳ６３にて，面積Ｓ，上記（７）式によって円形度ｅが演算される。
【０１３５】ステップＳ６４では，上記ステップＳ６２で求められた
面積Ｓが所定値Ｓth以下であるか否かが判定
【０１３６】上記ステップＳ６４にて上記面積Ｓが所定値Ｓth以下であった場合は，続くステップＳ６５に於いて，上記ステップＳ６３で求められた
円形度ｅが所定値ｅth以下であるか否かが判定
【０１３７】ステップＳ６６では，
被写体が人物であると判定
【０１３８】次に，ステップＳ６８では，人数計測カウンタが＋１される。そして，ステップＳ６９では，全抽出領域について形状判定されたか否かが判定される。ここで，まだ全抽出領域について形状判定終了していない場合には，ステップＳ７０に移行して，次の抽出領域が設定される。その後，上記ステップＳ６３に移行する。
【０１３９】一方，上記ステップＳ６９にて，全抽出領域について形状判定が終了した場合は，ステップＳ７１に移行して，人数計測カウンタが零であるか，すなわち被写体に人物が一人もいないか否かが判定される。
【０１４０】ここで，カウンタが“０”であればリターンする。上記ステップＳ７１にて，上記カウンタが“０”でなければ，ステップＳ７２に移行して，
カウントされた人数が所定人数以内であるか否かが判定
【０１４１】上記ステップＳ７２にて，
人数が所定数以内であれば，人物を主体に撮影されたポートレート的な写真であると判定された
【０１４２】一方，上記ステップＳ７２にて，
所定人数以上であれば，背景にもある程度のウエイトをおいた記念写真的な写真であると判定された
・・・（中略）・・・
【０１４７】更に，図２０は，第１の実施の形態に於ける人物判定領域及び人物判定領域内の設定された複数の測距エリアを示す説明図である。
【０１４８】図示されるように，本実施の形態では，
人物の顔と判定された領域５０が抽出され，人物判定領域５０内の複数の測距エリア（例えば５０ａ〜５０ｅ）が設定され，測距される
・・・（中略）・・・
【０１６２】図２５は，図３のフローチャートに於けるステップＳ５の
測光結果補正
【０１６３】まず，ステップＳ８１に於いて，被写体に人物が入っているか否かが判定される。これは，図１７のフローチャートで説明した人物計測カウンタによって判定される。ここで，人物が入っていなければ補正しないのでリターンする。
【０１６４】一方，被写体に人物が入っている場合は，ステップＳ８２に移行して，ポートレート的な写真であるか否かが判定される。これは，図１７のフローチャートに於けるステップＳ７３，Ｓ７４の判定結果が参照される。
【０１６５】上記ステップＳ８２にて
ポートレート的な写真であると判定された場合は，
被写界深度が浅くなるように
露出値が変更
【０１６６】また，上記ステップＳ８２にて
記念写真的な写真であると判定された場合は，
被写界深度が深くなるように
露出値が変更
　
　イ　引用文献１に記載された発明
　前記ア（ア）ないし（ウ）の記載から，引用文献１には，次の発明が記載されていると認められる。
　
「レリーズ釦の第１段階の押下げによりオンされるファーストレリーズスイッチ２５及びレリーズ釦の第２段階の押下げでオンされるセカンドレリーズスイッチ２６と，
　カメラ全体に於ける各回路の制御を司り，ファーストレリーズスイッチ２５のオンでＡＦ，測光動作を行い，セカンドレリーズスイッチ２６のオンにより露出動作，フィルム巻上げ動作を行うマイクロコンピュータ１１と，
　撮像領域１２ａである水平方向と垂直方向に二次元状に配置された受光素子群を備え，被写体像を撮像して電気信号であるセンサデータに変換するＡＦエリアセンサ１２と，
　測光出力を発生する測光部２０と，を有するカメラであって，
　前記マイクロコンピュータ１１は，前記ファーストレリーズスイッチ２５がオンされると，
　前記ＡＦエリアセンサ１２から読み出してＡ／Ｄ変換したセンサデータに対して，平滑化処理，差分処理，２値化処理，連結・図形融合処理，細線化処理を行った後に，センサデータから連結領域である対象画像を抽出して，当該対象画像が人物の顔か否かを対象画像の面積ｓ及び円形度ｅ（＝（周囲長）２／（面積））に基づいて判定し，人物の顔と判定された対象画像の数を被写体の人数としてカウントし，カウントされた人数が所定数以内であれば，人物を主体に撮影されたポートレート的な写真であると判定し，所定人数以上であれば，背景にもある程度のウエイトをおいた記念写真的な写真であると判定し，人物の顔と判定された人物判定領域５０を主要被写体として抽出する形状判定処理及び写真判定処理を行い，その後，前記人物判定領域５０内に複数の測距エリアを設定して，当該複数の測距エリアについて測距演算を行い，当該測距演算の結果得られた測距データが信頼性の有無等の所定の条件を満足するか否かを判定して，所定の条件を満たす複数の測距データについて平均処理を行って得られた測距データに基いて撮影レンズ１３の一部であるフォーカスレンズ１４を駆動するＡＦ動作と，
　前記測光部２０が発生した測光出力に基づいて測光・露出演算を行う測光・露出演算処理と，
　演算された露出値について，前記ポートレート的な写真か記念写真的な写真かの判定においてポートレート的な写真と判定されている場合には被写界深度が浅くなるように露出値を変更し，記念写真的な写真と判定されている場合には被写界深度が深くなるように露出値を変更する測光結果補正と，
を順次実行するよう構成されている，
　カメラ。」（以下，「引用発明」という。）
　
（２）引用文献２
　ア　引用文献２の記載事項
　原査定の拒絶の理由で引用された引用文献２は，本願の出願前に頒布された刊行物であって，当該引用文献２には次の記載がある。（下線は，後述する引用文献２記載の技術の認定に特に関係する箇所を示す。）
「【００３５】
【発明の実施の形態】以下，図面を参照して本発明の実施の形態を説明する。図１から図１２は本発明の第１の実施形態を示したものであり，図１は焦点検出装置の概要を示すブロック図である。
・・・（中略）・・・
【００３７】このような焦点検出装置を適用した
カメラ
・・・（中略）・・・
【００４８】上記カメラ制御部５０には，上記メインミラー１７のアップ／ダウンおよびシャッタ１９の駆動を行ってフィルム４０への露光を制御する露光制御部４２と，フィルム４０の巻上げ／巻戻しの制御を行うフィルム駆動部４１と，左右一対の光電変換素子列であるフォトダイオードアレイ３７Ｌおよび３７Ｒを有してなり各フォトダイオードアレイ３７Ｌ，３７Ｒの出力を焦点検出信号として該カメラ制御部５０に出力するＡＦセンサ３７と，カメラの制御部５０の指示に基づき撮影レンズ１０内の絞り１６を適正な絞り値に駆動する絞り駆動部４３と，撮影レンズ１０のズーム位置をエンコーダ４４ｂによって検出しながらズームモータ４４ａによってズームレンズ群を制御して駆動するズーム制御部４４と，上記フォーカスレンズ群１１，１２の位置をエンコーダ４５ｂによって検出しながらＡＦモータ４５ａによって制御して駆動するＡＦレンズ制御部４５と，被写体の輝度に応じた出力を発生するフォトダイオード等のセンサを有してなり例えば上記ファインダ光学系２０内に設置されている測光部４６と，閃光発光により被写体を照明するストロボを制御するためのストロボ制御部４７と，
撮影者によって操作される全てのスイッチを含んでなるスイッチ群４８
【００４９】上記
スイッチ群４８に含まれるスイッチとしては
カメラの撮影モードを設定するためのモード選択手段たる撮影モードスイッチもこれに含まれる
・・・（中略）・・・
【００５１】また，上記
撮影モードスイッチにより設定される撮影モードとしては，風景を撮影するに適した風景モードや，人物を撮影するに適したポートレートモード，シャッタ速度をより高速にするスポーツモードなどがあり，さらに，夜景を撮影するに適した夜景モードがある
　イ　引用文献２に記載された技術的事項
　前記アで摘記した引用文献２の記載から，引用文献２には，次の技術的事項が記載されていると認められる。
「カメラに，撮影モードを設定するためのモード選択手段たる撮影モードスイッチを設け，当該撮影モードスイッチを撮影者が操作することによって，風景を撮影するに適した風景モード，人物を撮影するに適したポートレートモード，シャッタ速度をより高速にするスポーツモード，夜景を撮影するに適した夜景モードなどを設定できるように構成すること。」（以下，「引用文献２記載の技術」という。）
６　対比
（１）　引用発明の「カメラ」は，本願発明の「撮像装置」に相当する。
　
（２）　引用発明はＡＦ動作を行うカメラであるところ，引用発明におけるＡＦ動作を行うことが「自動合焦機能を備えた」ことに他ならないから，引用発明と本願発明は「自動合焦機能を備えた撮像装置」である点で一致する。
　
（３）　引用発明のＡＦエリアセンサ１２は，被写体像を撮像して電気信号であるセンサデータに変換するものであるところ，「センサデータ」が本願発明の「被写体に応じた画像データ」に相当し，「ＡＦエリアセンサ１２」が本願発明の「撮像手段」に相当する。
　したがって，引用発明と本願発明は「被写体に応じた画像データを入力するための撮像手段」を備える点で一致する。
　
（４）　引用発明のマイクロコンピュータ１１は，ＡＦ動作における形状判定処理及び写真判定処理において，ＡＦエリアセンサ１２から読み出してＡ／Ｄ変換したセンサデータから連結領域である対象画像を抽出して，当該対象画像が人物の顔か否かを対象画像の面積ｓ及び円形度ｅ（＝（周囲長）２／（面積））に基づいて判定しているところ，「ＡＦエリアセンサ１２（撮像手段）から読み出してＡ／Ｄ変換したセンサデータ（画像データ）」が本願発明の「撮像手段から入力される画像データ」に相当し，「連結領域である対象画像を抽出して，当該対象画像が人物の顔か否かを対象画像の面積ｓ及び円形度ｅ（＝（周囲長）２／（面積））に基づいて判定」することが本願発明の「人物の顔を検出する」ことに相当するから，引用発明は，「ＡＦエリアセンサ１２（撮像手段）から入力されるセンサデータ（画像データ）の中から人物の顔を検出するための顔検出手段」を有しているといえる。
　したがって，引用発明と本願発明は「撮像手段から入力される画像データの中から人物の顔を検出するための顔検出手段」を備える点で一致する。
　
（５）　引用発明のマイクロコンピュータ１１は，ＡＦ動作において，人物の顔と判定された人物判定領域５０を主要被写体として抽出し，当該人物判定領域５０内に複数の測距エリアを設定して，当該複数の測距エリアについて測距演算を行い，当該測距演算の結果得られた測距データが信頼性の有無等の所定の条件を満足するか否かを判定して，所定の条件を満たす複数の測距データについて平均処理を行って得られた測距データに基いて撮影レンズ１３の一部であるフォーカスレンズ１４を駆動しているところ，「人物の顔と判定された人物判定領域５０を主要被写体として抽出し，当該人物判定領域５０内に複数の測距エリアを設定」し，当該複数の測距エリアから「得られた測距データに基いて撮影レンズ１３の一部であるフォーカスレンズ１４を駆動」することが本願発明の「顔検出手段で検出された人物の顔を測距エリアとして，自動合焦制御を行う」ことに相当するから，引用発明は，「顔検出手段で検出された人物の顔を測距エリアとして，自動合焦制御を行う自動合焦制御手段」を有しているといえる。
　したがって，引用発明と本願発明は「顔検出手段で検出された人物の顔を測距エリアとして，自動合焦制御を行う自動合焦制御手段」を備える点で一致する。
　
（６）　引用発明のＡＦ動作における「連結領域である対象画像を抽出して，当該対象画像が人物の顔か否かを対象画像の面積ｓ及び円形度ｅ（＝（周囲長）２／（面積））に基づいて判定」する処理，及び「人物の顔と判定された人物判定領域５０を主要被写体として抽出し，当該人物判定領域５０内に複数の測距エリアを設定」し，当該複数の測距エリアから「得られた測距データに基いて撮影レンズ１３の一部であるフォーカスレンズ１４を駆動」する処理が，本願発明の「人物撮影モード」が選択されている場合の「顔検出手段は顔検出動作を実行」する動作，及び「自動合焦制御手段は，検出された人物の顔を測距エリアとして，自動合焦制御を行」う動作にそれぞれ相当するから，引用発明と本願発明は「顔検出手段は顔検出動作を実行し，自動合焦制御手段は，検出された人物の顔を測距エリアとして，自動合焦制御を行うよう構成された」点で共通する。
（７）　前記（１）ないし（６）から，本願発明と引用発明は，
「自動合焦機能を備えた撮像装置において，
　被写体に応じた画像データを入力するための撮像手段と，
　前記撮像手段から入力される画像データの中から人物の顔を検出するための顔検出手段と，
　前記顔検出手段で検出された人物の顔を測距エリアとして，自動合焦制御を行う自動合焦制御手段と，を備え，
　前記顔検出手段は顔検出動作を実行し，前記自動合焦制御手段は，検出された人物の顔を測距エリアとして，自動合焦制御を行うよう構成された撮像装置。」である点で一致し，次の点で相違する。
相違点１：
　本願発明が，「撮影モードとして，人物を撮影するための人物撮影モードと風景を撮影するための風景撮影モードとを切り替えて設定するモード設定手段」を備えており，当該モード設定手段により撮影モードとして「人物撮影モード」が選択されている場合は，「顔検出手段は顔検出動作を実行」し，「自動合焦制御手段は，検出された人物の顔を測距エリアとして，自動合焦制御を行」い，撮影モードとして「風景撮影モード」が選択されている場合は，「顔検出手段は顔検出動作を実行せず」，「自動合焦制御手段は，所定の測距エリアに基づき自動合焦制御を行う」よう構成されているのに対して，
　引用発明は，そのようには構成されていない点。
　
７　判断
（１）相違点１の容易想到性について
　「カメラ」である引用発明を用いて撮影を行う際には，人物以外にも様々なものが主要被写体とされ，様々なシーンで撮影がなされることが明らかであるところ，これら様々な主要被写体やシーンに対応してそれぞれ適した撮影動作を行わせるために，引用発明に，撮影モードを設定するためのモード選択手段たる撮影モードスイッチを設け，当該撮影モードスイッチを撮影者が操作することによって，風景を撮影するに適した風景モード，人物を撮影するに適したポートレートモード，シャッタ速度をより高速にするスポーツモード，夜景を撮影するに適した夜景モードなどを設定できるように構成することは，引用文献２記載の技術に基づいて，当業者が容易になし得たことである。
　しかるに，引用発明における，「連結領域である対象画像を抽出して，当該対象画像が人物の顔か否かを対象画像の面積ｓ及び円形度ｅ（＝（周囲長）２／（面積））に基づいて判定」する処理（以下，便宜上「顔判定処理」という。），及び「人物の顔と判定された人物判定領域５０を主要被写体として抽出し，当該人物判定領域５０内に複数の測距エリアを設定」し，当該複数の測距エリアから「得られた測距データに基いて撮影レンズ１３の一部であるフォーカスレンズ１４を駆動」する処理（以下，便宜上「顔フォーカス処理」という。）は，主要被写体が人物であるときに適した動作であるから，これらの処理が，主要被写体が人物でないときには不要な動作であることは，当業者に自明である。
　ここで，「人物を撮影するに適したポートレートモード」は，主要被写体が人物となる撮影モードである。
　そうすると，撮影モードスイッチを設けて各種撮影モードを設定できるように構成を変更した引用発明において，「人物を撮影するに適したポートレートモード」が選択された場合に，顔判定処理（本願発明の顔検出動作に相当），及び顔フォーカス処理（本願発明の検出された人物の顔を測距エリアとする自動合焦制御に相当）を含むＡＦ動作（並びに，ポートレート的な写真か記念写真的な写真かの判定結果に応じて露出値を変更する測光結果補正）を行うよう構成することは，引用文献２記載の技術の適用に際して，当業者が当然に行うことである。
　また，「風景を撮影するに適した風景モード」は，主要被写体が風景であって人物ではない撮影モードであるから，撮影モードスイッチを設けて各種撮影モードを設定できるように構成を変更した引用発明において，「風景を撮影するに適した風景モード」が選択された場合に，顔判定処理，及び顔フォーカス処理（並びに，ポートレート的な写真か記念写真的な写真かの判定結果に応じて露出値を変更する測光結果補正）を行わず，例えば，引用文献１の【０００２】に記載された，中央部とその左右の３点やこの３点に中央上下２点を加えた５点に測距エリアを設定してＡＦ動作を行う従来の技術のように，適宜の位置に測距エリアを設定してＡＦ動作を行うように構成することは，引用文献２記載の技術の適用に際して，当業者が適宜なし得たことである。
　以上のとおりであるから，引用発明に，撮影モードを設定するためのモード選択手段たる「撮影モードスイッチ」（本願発明の「モード設定手段」に相当する。）を設け，当該撮影モードスイッチを撮影者が操作することによって，風景を撮影するに適した風景モード，人物を撮影するに適したポートレートモード，シャッタ速度をより高速にするスポーツモード，夜景を撮影するに適した夜景モードなどを設定できるように構成するとともに，撮影モードとして「ポートレートモード」（本願発明の「人物撮影モード」に相当する。）が選択された場合に，顔判定処理，及び顔フォーカス処理を行い（本願発明の「顔検出手段は顔検出動作を実行し，自動合焦制御手段は，検出された人物の顔を測距エリアとして，自動合焦制御を行」うことに相当する。），撮影モードとして「風景モード」（本願発明の「風景撮影モード」に相当する。）が選択された場合に，顔判定処理，及び顔フォーカス処理を行わず（本願発明の「顔検出手段は顔検出動作を実行せず」に相当する。）に，適宜の位置に測距エリアを設定してＡＦ動作を行う（本願発明の「所定の測距エリアに基づき自動合焦制御を行う」に相当する。）こと，すなわち，引用発明を，相違点１に係る本願発明の発明特定事項に相当する構成を具備したものとすることは，当業者が容易に想到し得たことである。
（２）効果について
　本願発明が有する効果は，引用文献１及び２に記載された事項から当業者が予測できた程度のものである。
　
（３）撮像手段に関する予備的判断
　ア　本件補正後の請求項１には，「撮像手段」から入力される画像データがカメラのユーザーに提供されることを示す発明特定事項や，カメラが電子スチルカメラ（いわゆる「デジタルカメラ」）であることが記載されていないから，本願発明の「被写体に応じた画像データを入力するための撮像手段」なる発明特定事項は，引用発明の「ＡＦエリアセンサ１２」のように，ＡＦ動作専用の撮像手段であって，カメラのユーザーに提供する画像データを取得する撮像手段ではないものを包含していると解するのが相当である。（したがって，前記６（３）では，当該解釈を前提として，引用発明の「ＡＦエリアセンサ１２」と本願発明の「撮像手段」の相当関係を判断した。）
　しかしながら，本願明細書の発明の詳細な説明に記載された実施の形態１，実施の形態２，変形例１及び変形例２が，いずれも，デジタルカメラであって，撮像手段によって取得された画像データ（測距エリアが設定される画像データでもある。）が，ユーザーに提供されることが明らかであることからは，本願発明の「被写体に応じた画像データを入力するための撮像手段」なる発明特定事項が，カメラのユーザーに提供する画像データを取得する撮像手段を指していて，本願発明が，当該撮像手段が取得した画像データに対して顔検出動作や測距エリアの設定がされるものとの限定解釈が不可能とまではいえない。
　そこで，当該限定解釈をした場合の本願発明の進歩性の有無について，検討しておく。
　イ　前記アの限定解釈を前提として，本願発明と引用発明とを対比すると，両者は，相違点１に加えて，次の点でも相違する。
相違点２：
　本願発明の「撮像手段」が，カメラのユーザーに提供する画像データを取得する撮像手段であって，本願発明では，当該「撮像手段」が取得した画像データに対して顔検出動作や測距エリアの設定がされているのに対して，
　引用発明は，撮像したフィルムをカメラのユーザーに提供するカメラであって，引用発明の「撮像手段」（ＡＦエリアセンサ１２）は，カメラのユーザーに提供する画像データを取得する撮像手段ではなく，引用発明における顔検出動作や測距エリアの設定を行うための画像を取得するＡＦ動作専用の撮像手段である点。
　ウ　相違点１の容易想到性は，前記（１）で述べたとおりである。
　エ　相違点２の容易想到性について検討すると，ユーザーに提供する画像データを取得する撮像手段を有するデジタルカメラであって，前記撮像手段が取得した画像データに対して測距エリアを設定し，当該測距エリアに基づいて自動合焦を行う方式のＡＦ機構（いわゆる「コントラストＡＦ」や「山登り方式」と呼ばれる方式）を採用したデジタルカメラは，例えば，特開２００１−２５５４５６号公報，特開平９−６９９７４号公報，特開平８−３１３７９９号公報，特開平５−２２７４６５号公報，特開平４−２９６１７５号公報等にみられるように，本願の出願前に周知であったと認められる。
　引用発明は，撮像したフィルムをカメラのユーザーに提供する銀塩写真用のカメラであって，ＡＦ機構として，ＡＦ動作専用の撮像手段を有するいわゆる「位相差ＡＦ」方式のものを採用したものであるところ，カメラを銀塩写真用のカメラとするのか，それともデジタルカメラとするのかについてや，ＡＦ機構として，如何なる方式のものを用いるのかについては，それぞれのメリット・デメリットを総合的に勘案して，当業者が適宜決定すれば足りる設計上の事項である。
　しかるに，引用発明を，周知の「コントラストＡＦ」のＡＦ機構を採用したデジタルカメラとして構成することは，単なる設計変更にすぎない。
　したがって，引用発明を，相違点２に係る本願発明の発明特定事項（カメラのユーザーに提供する画像データを取得する「撮像手段」が取得した画像データに対して顔検出動作や測距エリアの設定を行う）に相当する構成を具備したものとすることは，単なる設計変更にすぎない。
　オ　以上のとおりであるから，前記アの限定解釈を前提として検討したとしても，本願発明は，引用発明及び引用文献２記載の技術に基づいて，当業者が容易に発明をすることができたものである。
（４）まとめ
　以上のとおりであるから，本願発明は，引用発明及び引用文献２記載の技術に基づいて，当業者が容易に発明をすることができたものである。
　
８　むすび
　本願の請求項１に係る発明は，引用発明及び引用文献２記載の技術に基づいて，当業者が容易に発明をすることができたものであるから，他の請求項に係る発明について検討するまでもなく，本願は，特許法２９条２項の規定により特許を受けることができない。
　よって，結論のとおり審決する。